(57)【要約】      （修正有）【課題】充填材の所定空間からの流出を防止するとともに、圧力損失の増加を抑制する流体処理装置を有する固体酸化物形燃料電池装置を提供する。【解決手段】燃料ガスと酸化剤ガスとの反応により発電する固体酸化物形燃料電池装置は、燃料電池モジュールにおける発電に関与する流体を処理する流体処理装置１０を有する。流体処理装置は、ケースと、ケースの内部に充填されケースの内部を通過する流体の状態を変化させる複数の粒状の充填材と、を備える。ケースの内部は、流体を通過させる流体配管１３と接続され、流体配管の内径は充填材の粒径よりも大きく、さらに流体配管は、流体配管の形状によって充填材の通過を禁止するとともに流体配管の圧力損失の増加を抑制する充填材通過禁止部１４を有する。【選択図】図１
2018041608.tif 000002
【特許請求の範囲】
【請求項１】
燃料ガスと酸化剤ガスとの反応により発電する固体酸化物形燃料電池装置において、
燃料電池モジュールにおける発電に関与する流体を処理する流体処理装置を有し、
前記流体処理装置は、ケースと、前記ケースの内部に充填され前記ケースの内部を通過する流体の状態を変化させる複数の粒状の充填材と、を備え、
前記ケースの内部は、前記流体を通過させる流体配管と接続され、
前記流体配管の内径は前記充填材の粒径よりも大きく、
さらに前記流体配管は、前記流体配管の形状によって前記充填材の通過を禁止するとともに前記流体配管の圧力損失の増加を抑制する充填材通過禁止部を有することを特徴とする固体酸化物形燃料電池装置。
【請求項２】
前記充填材通過禁止部は、前記流体配管の内部を流れる流体の方向に直交する断面視における内部形状が、前記充填材の粒径よりも短辺または短軸が小さく、かつ前記流体配管の他の部の内径よりも長辺または長軸が大きい楕円形状又は長方形状であることを特徴とする請求項１に記載の固体酸化物形燃料電池装置。
【請求項３】
前記充填材通過禁止部は、前記流体配管の非屈曲部に設けられていることを特徴とする請求項２に記載の固体酸化物形燃料電池装置。
【請求項４】
前記充填材通過禁止部は、前記流体配管の垂直方向に延在する部分に設けられていることを特徴とする請求項３に記載の固体酸化物形燃料電池装置。
【請求項５】
前記流体処理装置は、前記流体として内部に供給された水から原料ガスを前記燃料ガスに改質するための水蒸気を生成する蒸発器であって、
前記充填材通過禁止部は、前記流体配管が水平方向に延在する領域に設けられ、
前記充填材通過禁止部は、前記長辺または前記長軸が前記流体配管の内径よりも垂直方向に長いとともに、前記充填材通過禁止部の底部の位置が連続する前記流体配管の底部の位置よりも低いことを特徴とする請求項３に記載の固体酸化物形燃料電池装置。
【請求項６】
前記充填材通過禁止部は、断熱材の内部に組み込まれていることを特徴とする請求項５に記載の固体酸化物形燃料電池装置。
【請求項７】
前記充填材通過禁止部の表面は、前記流体配管の表面と滑らかに連続していることを特徴とする請求項２乃至６のいずれか一項に記載の固体酸化物形燃料電池装置。
【発明の詳細な説明】
【技術分野】
【０００１】
本発明は、固体酸化物形燃料電池装置に関し、特に、原料ガスを改質して得られた燃料ガスと酸化剤ガスとの反応により発電する固体酸化物形燃料電池装置に関する。
【背景技術】
【０００２】
固体酸化物形燃料電池装置（Ｓｏｌｉｄ  Ｏｘｉｄｅ  Ｆｕｅｌ  Ｃｅｌｌ：以下「ＳＯＦＣ」とも言う）は、電解質として酸化物イオン導電性固体電解質を用い、その両側に電極を取り付けた燃料電池セルを複数モジュール容器内に配設し、その燃料電池セルの一方の電極（燃料極）に燃料ガスを供給し、他方の電極（空気極）に酸化剤ガス（空気、酸素等）を供給することで発電反応により発電する電力を取り出す装置であり、高分子電解質形燃料電池装置等の他の燃料電池装置に対して、例えば７００〜１０００℃程度の比較的高温で動作する。
【０００３】
従来、このような固体酸化物形燃料電池装置における燃料電池セルの発電に関与する燃料ガス等の流体を処理するために、種々の流体処理装置が用いられている。流体処理装置としては、例えば燃料電池セルに供給する水素を生成するために、天然ガス等の炭化水素からなる原料ガスを水蒸気と反応させて改質して水素を生成する改質器や、改質器に供給する水蒸気を供給された水を蒸発させることにより生成する蒸発器、燃料電池セルの劣化を招く硫黄成分を原料ガスから事前に除去する脱硫器、燃料電池装置から排出される排ガス中の一酸化炭素（ＣＯ）を燃焼させて排出する燃焼触媒器等が挙げられる。これらの流体処理装置には、それぞれの処理を実行するために、あるいは促進するために触媒等の粒状の充填材が内部に充填されることが一般的である。
【０００４】
例えば特許文献１には、流体処理装置として、燃料電池セルに供給する水素を生成するために、天然ガス等の炭化水素と水蒸気とを改質反応させて水素を生成する改質器が記載されている。改質器のケース内には球体の改質触媒が封入される一方、改質器のケースには燃料ガス供給管、導出管が接続するための円形の穴が形成されており、当該穴から改質触媒が流出しないように、流出防止部が設けられている。
【０００５】
流出防止部は改質器内に設けられた板状部材であり、改質器の垂直に底面に接続されている。この流出防止部に改質触媒の直径よりも短い短辺と改質触媒の直径よりも長い長辺を有するスリット状の開口部を多数設けることで、開口部の変形に耐えうる改質触媒の流出防止機構を実現している。
【先行技術文献】
【特許文献】
【０００６】
【特許文献１】特開２０１１−２１０６３１号公報
【発明の概要】
【発明が解決しようとする課題】
【０００７】
しかし流体処理装置内にこのような流出防止板を用いる場合、流出防止板は充填材を所定空間内にとどめて支持し、所定空間から流出することを防止する目的として用いられるものである。従って、所定の支持強度を確保することが必要であるため、流出防止板の開口部の面積を大きくすることは支持強度の低下につながることから相容れず、困難である。そのため、流出防止板を通過する流体の圧力損失が増大するというあらたな課題が生じていた。
【０００８】
さらに、流出防止板を用いる場合には、別途流出防止板を構成するための部材が必要となるため、燃料電池装置の低価格化を進めていく上で障害となってしまう。
【０００９】
そこで本発明では、充填材の所定空間からの流出を防止するとともに、圧力損失の増加を抑制する流体処理装置を有する固体酸化物形燃料電池装置を提供することを目的とする。
【課題を解決するための手段】
【００１０】
本発明にかかる固体酸化物形燃料電池装置の一態様は、燃料ガスと酸化剤ガスとの反応により発電する固体酸化物形燃料電池装置において、燃料電池モジュールにおける発電に関与する流体を処理する流体処理装置を有し、流体処理装置は、ケースと、ケースの内部に充填されケースの内部を通過する流体の状態を変化させる複数の粒状の充填材と、を備え、ケースの内部は、流体を通過させる流体配管と接続され、流体配管の内径は充填材の粒径よりも大きく、さらに流体配管は、流体配管の形状によって充填材の通過を禁止するとともに流体配管の圧力損失の増加を抑制する充填材通過禁止部を有するものである。
【００１１】
固体酸化物形燃料電池装置における燃料電池モジュールの発電に関与する流体を処理する流体処理装置とし、例えば燃料電池セルに供給する水素を生成するために、天然ガス等の炭化水素からなる原料ガスを水蒸気と反応させて改質して水素を生成する改質器や、改質器に供給する水蒸気を供給された水を蒸発させることにより生成する蒸発器、改質触媒や燃料電池セルの劣化を招く硫黄成分を原料ガスから事前に除去する脱硫器、燃料電池装置から排出される排ガス中の一酸化炭素（ＣＯ）を燃焼させて排出する燃焼触媒器等が挙げられる。
【００１２】
これら流体処理装置には、触媒反応を生じさせる触媒や、流体の加熱を促進する等の流体処理装置の目的に合わせて流体の状態変化を発現させるための粒状の充填材が充填される。ところが、この粒状の充填材は、自重による落下や流路内部の圧力変動、燃料電池装置の搬出時、施行時、運転時に生じる振動等の様々な理由により、流体処理装置の所定空間から外部に流出するおそれがあった。これにより、流体処理装置の所定空間内の充填材の占有量が減少するため、目的とする流体処理装置の絶対的な処理能力の低下の他、充填材が減少したことにより生じるリークパスによって処理されずにケース外に排出される流体が生じてしまう。そこで従来は粒状の充填材が流体処理装置の所定空間から流出しないように、流体処理装置のケースの内部に、複数の開口部（スリット）を有する仕切り板を配置することで、充填部材の流出を防止していた。
【００１３】
しかし流出防止板は、充填材自体の流出を防止することを目的とするものであるため、自身の強度を維持しつつ流出防止板の開口部面積を大きくすることができず、その結果、流出防止板を通過する流体の圧力損失が増大するというあらたな課題が生じていた。
【００１４】
さらに、流出防止板を用いる場合には、別途流出防止板を構成するための部材が必要となるため、燃料電池装置の低価格化を進めていく上で障害となってしまう。
【００１５】
これに対し本発明の態様では、流体処理装置の内部に流出防止板を配置することに替え、流体処理装置のケースに接続される配管自体を、充填材の流出を禁止するとともに圧力損失の増加を抑制するように構成するため、別途の部材の追加なく圧力損失の増大もない充填材の流出防止機構を簡易に実現することができる。
【００１６】
ここで充填材とは、燃料ガスの改質に用いられるＲｕ系触媒やＮｉ系触媒等の改質触媒、水の蒸発を促進するためのアルミナ、ジルコニア、チタニア等の熱容量の大きいセラミックス製熱伝導部材、原料ガスの硫黄成分を除去する脱硫触媒、燃焼後のオフガス中の未燃焼成分の酸化を促進するための白金、パラジウム等の貴金属系又は、マンガン、鉄等の卑金属系の燃焼触媒等である。また粒状とは、球体に限らずに所定表面積をもつ微細構造体であるが粉状を含まず、流体の経路を隙間に確保できるものであって、特に粒径が２ｍｍ以上のものが好ましい。
【００１７】
また流体処理装置において処理する流体は、都市ガスやＬＰガス等の原料ガス、原料ガスを改質した改質ガス、水、水蒸気、空気、燃料電池セルに供給されたガスのうち発電反応に残余したオフガス、オフガスを燃焼した燃焼ガス（排ガス）等に例示される、燃料電池装置の使用に必要な気体、液体あるいはこれらの混合物を意味する。
【００１８】
また本発明の一態様においては、充填材通過禁止部は、流体配管の内部を流れる流体の方向に直交する断面視における内部形状が、充填材の粒径よりも短辺または短軸が小さく、かつ流体配管の他の部の内径よりも長辺または長軸が大きい楕円形状又は長方形状であることが好ましい。
【００１９】
このように構成された本発明によれば、流体配管の一部を部分的に狭め、かつ部分的に広げた構成とすることで、流れ出そうとする充填材は必ず流出が阻害されるとともに流路面積を広く構成したため、充填材の通過を防止しつつ圧力損失の増大抑制を、流体配管の形状を部分的に変更する簡易な方法により実現することができる。
【００２０】
また本発明の一態様においては、充填材通過禁止部は、流体配管の非屈曲部に設けられていることが好ましい。
【００２１】
このように構成された本発明によれば、充填材通過禁止部を配管の非屈曲部に設ける構成とするため、高温作動の固体酸化物形燃料電池装置において、高温下での熱膨張に起因する応力集中が起こりやすい屈曲部に設けずに非屈曲部に配置することで、熱応力の集中を回避して耐久性の高い配管構造を維持することができる。
【００２２】
また本発明の一態様においては、充填材通過禁止部は、流体配管の垂直方向に延在する部分に設けられていることが好ましい。
【００２３】
このように構成された本発明によれば、垂直方向に延びる流体配管の一部に充填材通過禁止部を設けることで、当該充填材通過禁止部の構造に加え充填材に働く自重の効果により、充填材が流出するのを防止することができる。さらに流体配管が流体処理装置に流体を供給する配管である場合、流体の流体処理装置への吹き込みによって、充填材の流出を阻害することができる。
【００２４】
また本発明の一態様においては、流体処理装置は、流体として内部に供給された水から原料ガスを燃料ガスに改質するための水蒸気を生成する蒸発器であって、充填材通過禁止部は、流体配管が水平方向に延在する領域に設けられ、充填材通過禁止部は、長辺または長軸が流体配管の内径よりも垂直方向に長いとともに、充填材通過禁止部の底部の位置が連続する流体配管の底部の位置よりも低いことが好ましい。
【００２５】
このように構成された本発明によれば、蒸発器に繋がる水供給管に充填材通過禁止部を設ける場合、水平方向に長く垂直方向に短い形状とすると、配管を流れる水量が少ない場合には充填材通過禁止部を乗り越えることができずに溜まってしまう。そしてさらなる水量の供給により、この溜まった一定の水量が一気に充填材通過禁止部を乗り越えるため、水塊がいっきに蒸発室へ供給されることになり、蒸発室への安定的な水量の水供給が阻害される。本態様により、水の安定供給を維持しつつ、圧力損失の増大抑制と充填材の流出防止の両立をはかることができる。
【００２６】
また本発明の一態様においては、充填材通過禁止部は、断熱材の内部に組み込まれていることが好ましい。
【００２７】
このように構成された本発明によれば、充填材通過禁止部を配管の水平部分に設けることにより、高さ方向に対して高さの低い配管引き回し構造を実現することができる。このため、断熱材で流体処理装置及び流体配管を被覆する際に、断熱材の厚みを薄くすることができ、燃料電池装置のコンパクトな設計を可能にする。
【００２８】
また本発明の一態様においては、充填材通過禁止部の表面は、流体配管の表面と滑らかに連続していることが好ましい。
【００２９】
このように構成された本発明によれば、充填材通過禁止部は流体配管に対し特異な形状であるため、当該充填材通過禁止部に応力が集中する。そこで流体配管中に設けられる充填材通過禁止部の切り替わり部分を滑らかな連続面とすることで、応力の集中を抑制することができる。
【発明の効果】
【００３０】
充填材の所定空間からの流出を防止するとともに、圧力損失の増加を抑制する流体処理装置を有する固体酸化物形燃料電池装置を提供することができる。
【図面の簡単な説明】
【００３１】
【図１】本発明の一実施形態による充填材通過禁止部を備えた流体配管が設置された流体処理装置を示す斜視図である。
【図２】本発明の一実施形態による流体配管が接続された流体処理装置を示す断面図である。
【図３】本発明の一実施形態による充填材通過禁止部を備えた流体配管を示す三面図である。
【図４】本発明の一実施形態による充填材通過禁止部の縦断面を示す断面図である。
【図５】本発明の一実施形態による流体配管が接続された流体処理装置を示す断面図である。
【図６】本発明の一実施形態による固体酸化物形燃料電池装置を示す全体構成図である。
【図７】本発明の一実施形態による固体酸化物形燃料電池装置の燃料電池モジュールを示す正面断面図である。
【図８】図７のIII−III線に沿った断面図である。
【図９】本発明の一実施形態による固体酸化物形燃料電池装置の燃料電池モジュールから断熱材及びハウジングを取り外した状態の斜視図である
【図１０】図１０（Ａ）は、本発明の一実施形態による改質器を斜め上方から見た斜視図であり、図１０（Ｂ）は、図１０（Ａ）のＶＢ−ＶＢ線に沿った断面図であり、図１０（Ｃ）は、図１０（Ａ）のＶＣ−ＶＣ線に沿った断面図である。
【図１１】本発明の一実施形態による固体酸化物形燃料電池の燃料電池セルユニットを示す部分断面図である。
【図１２】本発明の一実施形態による固体酸化物形燃料電池の燃料電池セルスタックを示す斜視図である。
【図１３】本発明の一実施形態による固体酸化物形燃料電池装置の燃料電池モジュールにおけるガスの流れの説明するための、燃料電池モジュールを示す正面断面図である。
【図１４】本発明の一実施形態による固体酸化物形燃料電池装置の燃料電池モジュールにおけるガスの流れの説明するための、図７のIII −III 線に沿った燃料電池モジュールの断面図である。
【図１５】本発明の一実施形態による熱交換器が別体に設けられた固体酸化物形燃料電池装置。
【発明を実施するための形態】
【００３２】
以下では、本明細書に開示する発明の実施の形態について図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００３３】
（実施の形態１）
本実施の形態においては、本発明にかかる固体酸化物形燃料電池装置における、充填材通過禁止部を有する流体配管を接続した流体処理装置について、図１乃至図５を用いて説明する。
【００３４】
図１は、本実施の形態における固体酸化物形燃料電池装置に備えられた流体処理装置１０であって、水平方向（ｘ軸方向）に広がるその天面に流体を供給するための中空パイプ状の流体配管１３が接続されていることを示す図である。図１において、流体配管１３は右側より水平方向（ｘ軸方向）に延在し（図１において流体配管はパイプ状であることを示すため、右端よりも右方向の配管の記載を省略。）、流体処理装置１０の天面部分において垂直方向（ｚ軸方向）に屈曲して、流体処理装置１０の天面に接続されている。
【００３５】
なお、図１では流体配管１３として２本の配管が記載されるが、例えば流体処理装置１０が改質器に供給する水蒸気を生成する蒸発器である場合には、当該２本の流体配管を水供給管と原料ガス供給管とすることができる。あるいは水と原料ガスとを予め混合して蒸発器に供給する場合には、供給管としての流体配管１３は一本で足りる。このように、流体処理装置１０の用途や機能等に応じて流体配管１３の本数は適宜設定すれば良い。
【００３６】
ここで流体配管の屈曲する部分の近傍の水平方向延在部分には、充填材通過禁止部１４が設けられている。
【００３７】
図２は、流体配管１３が接続された流体処理装置１０のｘ−ｚ平面についての断面図である。簡単のため、流体処理装置１０は矩形状のケース１１で表されている。ケース１１の内部には、粒状の充填材１２で充填されている。なお充填材１２は流体処理装置１０の用途や機能等に応じた材料が充填される。充填材１２としては、燃料ガスの改質に用いられるＲｕ系触媒やＮｉ系触媒等の改質触媒、水の蒸発を促進するためのアルミナ、ジルコニア、チタニア等の熱容量の大きいセラミックス製熱伝導部材、原料ガスの硫黄成分を除去する脱硫触媒、燃焼後のオフガス中の未燃焼成分の酸化を促進するための白金、パラジウム等の貴金属系又は、マンガン、鉄等の卑金属系の燃焼触媒等が用いられる。また粒状とは、球体に限らずに所定表面積をもつ微細構造体であるが粉状を含まず、流体の経路を隙間に確保できるものであって、特に粒径が２ｍｍ以上のものが好ましい。なお、充填材１２は必ずしもケース１１の天面に隙間なく詰められている必要はなく、図２に記載のように、ケース１１の内部上方に隙間ができる程度に充填するなど、その流体処理装置１０の目的や機能、性能に合わせて調整すれば良い。
【００３８】
図２においては、流体処理装置１０の右方天面と左方中央側面に配管が接続されている。右方天面に接続された流体配管１３から、ケース１１内部の充填材１２が充填された領域に流体が供給され、ケース１１の左方中央側面に接続された配管から、ケース１１の内部で処理を受けた流体が流体処理装置１０の外部へと排出される。
【００３９】
また、本実施の形態における流体処理装置１０においては、ケース１１内部を通過する流体及び充填材１２を加熱するために、ケース１１の下方に加熱源１５が設けられている。加熱源１５は流体処理装置１０が目的とする流体の処理を均一に行うために、ケース１１内部の充填材１２が充填された領域を均一に加熱することが好ましい。加熱源１５としては外部バーナーや電気ヒーターを用いても良く、燃料電池セルによる発電反応に残余したオフガスを燃焼させた燃焼排ガスを用いた排熱を利用しても良く、その他公知の種々の加熱手段を用いることができる。
【００４０】
このような流体処理装置１０の態様においては、内部を通過する流体の流動、流体の圧力増加、流体処理装置１０を含む固体酸化物形燃料電池装置の施行時、運転時等で生じる振動など、様々な要因によりケース１１内の充填材１２がケース１１の外部に漏出する。そこで従来の流体処理装置内部に配置するスリットを有する仕切り板に替えて、本実施の形態においては、流体配管１３に充填材通過禁止部１４が設けられている。図３において、充填材通過禁止部１４について詳細に説明する。
【００４１】
図３は、充填材通過禁止部１４が設けられた流体配管１３を示す上面図（Ａ）、正面断面図（Ｂ）、側面断面図（Ｃ）である。図３（Ａ）に示すように、充填材通過禁止部１４は上面視すると流体配管１３の内径よりも小さく（狭く）構成されている一方で、図３（Ｂ）に示すように、正面断面においては流体配管１３の内径よりも大きく（広く）構成されている。すなわち、図３（Ｃ）に示すように、流体配管１３の内部を流れる流体の方向に直交する断面視において、充填材通過禁止部１４の内部形状は矩形形状（長方形状）であって、特に上下端を弧状とする形状である。なお、上下端を弧状とすることは、熱応力の集中を緩和することができ耐久性能が向上する点で好ましく、矩形形状の角部に丸みを持たせる程度でも良い。また、本実施の形態における充填材通過禁止部１４の内部形状を、垂直方向（ｚ軸方向）を長軸に、水平方向（ｘ軸方向）を短軸に配置する楕円形状としても良い。
【００４２】
ここで上記の内部形状において、短辺又は短軸の長さ（図４に示すＷ）は、充填材１２の粒径よりも小さくなるように形成されている。一方で、長辺又は長軸の長さ（図４に示すＨ）は、流体配管１３の内径よりも大きく形成されている。このように流体配管１３の一部を部分的に狭め、かつ部分的に広げた構成とすることで、流れ出そうとする充填材は必ず流出が阻害されるとともに流路面積が広くなるため、充填材の通過を防止しつつ圧力損失の増大抑制を、流体配管の形状を部分的に変更するとの簡易な方法により実現することができる。
【００４３】
なお、図１乃至図４により示される本実施の形態における充填材通過禁止部１４は、垂直方向（ｚ軸方向）の内径を流体配管１３の内径よりも長くし、水平方向（ｘ軸方向）の内径を充填材１２の粒径よりも小さく設定しているが、上記の充填材の通過を防止しつつ圧力損失の増大抑制との趣旨を充足する限りにおいては、この方向での設計に限られない。すなわち、例えば垂直方向（ｚ軸方向）の内径を充填材１２の粒径よりも小さくし、水平方向（ｘ軸方向）の内径を流体配管１３の内径よりも長く設定しても良い。このように、充填材通過禁止部１４は、その内部正面断面形状が、長辺又は長軸と短辺又は短軸が互いに直交する限りにおいては、いかなる角度で設定しても良い。
【００４４】
また、本実施の形態においては、流体配管１３は図２に示すように、流体処理装置１０のケース１１の天面に直交して接合されており、ケース１１の上方において屈曲し水平方向に延在する。すなわち図３（Ｂ）に示すように、流体配管１３は水平延在部１３ａと垂直延在部１３ｂとを有し、さらにこれらの間に屈曲部１３ｃを有する。ここで充填材通過禁止部１４は、図３（Ｂ）における流体配管１３の水平延在部１３ａ等の非屈曲部に設けることが好ましい。当該構成により、高温作動の固体酸化物形燃料電池装置において、高温下での熱膨張に起因する応力集中が起こりやすい屈曲部に設けずに非屈曲部に配置することで、熱応力の集中を回避して耐久性の高い配管構造を維持することができる。
【００４５】
本実施の形態においては、充填材通過禁止部１４は流体配管１３の水平延在部１３ａに設ける態様を示したがこれに限られず、流体配管１３の垂直延在部１３ｂに設けることもできる。特に図５（Ｂ）に示すように、屈曲しない構造の流体配管１３を流体処理装置１０の天面に直立するように接合する場合には、垂直方向に延在する流体配管１３の一部に充填材通過禁止部１４を設置することができる。この場合、当該充填材通過禁止部１４の構造による機能に加え充填材に働く自重の効果により、充填材１２が外部へ流出するのを防止することができる。さらに流体配管１３が流体処理装置１０に流体を供給する配管である場合、流体の流体処理装置１０への吹き込みによって、充填材１２の流出を阻害することができる。
【００４６】
また、充填材通過禁止部１４は、流体処理装置１０に接合される流体の供給管として機能する配管に限らず、図５（Ｂ）に示すように、処理が施された流体を外部へ排出するための流体の排出管に付加するものであってもよい。
【００４７】
また、充填材通過禁止部１４は、流体処理装置１０のケース１１を貫通して挿入される流体配管１３のうち、流体処理装置１０の内部に位置する部分に設置されていても良い。これにより、流体処理装置１０の内部空間に充填材通過禁止部１４の設置が許容される場合には、充填材１２の流出が流体処理装置１０の内部で防止することができることに加え、流体処理装置１０の外部における流体配管１３への充填材通過禁止部１４の設置が不要となることから、外部における流体配管１３の最短の引き回しが可能となる。
【００４８】
ここで流体処理装置１０が、流体として内部に供給された水から原料ガスを燃料ガスに改質するための水蒸気を生成する蒸発器である場合、充填材通過禁止部１４は、流体配管１３を水平方向に延在する領域に設け、充填材通過禁止部１４は長辺または長軸が流体配管１３の内径よりも垂直方向に長くするとともに、充填材通過禁止部１４の底部の位置が連続する流体配管１３の底部の位置よりも低くすることが好ましい。蒸発器に繋がる水供給管に充填材通過禁止部１４を設ける場合、水平方向に長く垂直方向に短い形状とすると、配管を流れる水量が少ない場合には充填材通過禁止部１４を乗り越えることができずに溜まってしまう。そしてさらなる水量の供給により、この溜まった一定の水量が一気に充填材通過禁止部１４を乗り越えるため、水塊がいっきに蒸発室へ供給されることになり、蒸発室への安定的な水量の水供給が阻害される。このため上記構成とすることで、蒸発器の水の安定供給を維持しつつ、圧力損失の増大抑制と充填材の流出防止の両立を図ることができる。
【００４９】
また、充填材通過禁止部１４は、断熱材の内部に組み込まれていることが好ましい（図示せず）。充填材通過禁止部１４を配管の水平部分に設けることにより、高さ方向に対して高さの低い配管引き回し構造を実現することができる。このため、断熱材で流体処理装置１０及び流体配管１３を被覆する際に、断熱材の厚みを薄くすることができ、燃料電池装置のコンパクトな設計が可能となる。
【００５０】
また、本実施の態様において、充填材通過禁止部１４の表面は、流体配管１３の表面と滑らかに連続していることが好ましい。充填材通過禁止部１４は流体配管１３に対し特異な形状であるため、組み立て時や高温運転時等に当該充填材通過禁止部１４に応力が集中する。そこで流体配管１３中に設けられる充填材通過禁止部１４の切り替わり部分を滑らかな連続面とすることで、応力の集中を抑制することができる。
【００５１】
（実施の形態２）
次に、図面を参照して、本発明にかかる充填材通過防止部を備えた流体配管が接続された流体処理装置を有する固体酸化物形燃料電池装置の実施の態様について説明する。
【００５２】
図６は、本発明の一実施形態による固体酸化物形燃料電池装置を示す全体構成図である。この図６に示すように、本発明の一実施形態による固体酸化物形燃料電池装置１０１は、燃料電池モジュール１０２と、補機ユニット１０４を備えている。
【００５３】
燃料電池モジュール１０２は、ハウジング１０６を備え、このハウジング１０６内部には、断熱材１０７を介して金属製のモジュールケース１０８が内蔵されている。この密閉空間であるモジュールケース１０８の下方部分である発電室１１０には、燃料ガスと酸素含有ガス（以下では適宜「酸化剤ガス」、「発電用空気」又は「空気」と呼ぶ。）とにより発電反応を行う燃料電池セル集合体１１２が配置されている。この燃料電池セル集合体１１２は、９個の燃料電池セルスタック１１４（図７参照）を備え、この燃料電池セルスタック１１４は、各々が燃料電池セルを含む、１６本の燃料電池セルユニット１１６から構成されている。この例では、燃料電池セル集合体１１２は、１４４本の燃料電池セルユニット１１６を有する。燃料電池セル集合体１１２は、複数の燃料電池セルユニット１１６の全てが直列接続されている。
【００５４】
燃料電池モジュール１０２のモジュールケース１０８の発電室１１０の上方には、燃焼部としての燃焼室１１８が形成され、この燃焼室１１８で、発電反応に使用されなかった残余の燃料ガスと残余の空気との排ガスが燃焼されるようになっている。さらに、モジュールケース１０８は断熱材１０７により覆われており、燃料電池モジュール１０２内部の熱が、外気へ発散するのを抑制している。また、この燃焼室１１８の上方には、燃料ガスを改質する流体処理装置として改質器１２０が配置され、上記した残余ガスの燃焼熱によって改質器１２０を改質反応が可能な温度となるように加熱している。
【００５５】
さらに、ハウジング１０６内においてモジュールケース１０８の上方には、後述する蒸発器１２５が断熱材１０７内に設けられている。蒸発器１２５は、燃焼室１１８において残余ガスである排ガスを燃焼させ、その排ガスと水とが供給され、これらの排ガスと水との間で熱交換を行うことによって、水を蒸発させて水蒸気を生成し、この水蒸気と原燃料ガスとの混合ガス（以下では「燃料ガス」と呼ぶこともある。）をモジュールケース１０８内の改質器１２０に供給する流体処理装置である。
【００５６】
次に、補機ユニット１０４は、燃料電池モジュール１０２からの排気中に含まれる水分を結露させた水を貯水してフィルターにより純水とする純水タンク１２６と、この貯水タンクから供給される水の流量を調整する水流量調整ユニット１２８（モータで駆動される「水ポンプ」等）を備えている。また、補機ユニット１０４は、都市ガス等の燃料供給源１３０から供給された燃料を遮断するガス遮断弁１３２と、燃料ガスから硫黄を除去するための脱硫器１３６と、燃料ガスの流量を調整する燃料流量調整ユニット１３８（モータで駆動される「燃料ポンプ」等）と、電源喪失時において、燃料流量調整ユニット１３８から流出する燃料ガスを遮断するバルブ１３９を備えている。さらに、補機ユニット１０４は、空気供給源１４０から供給される空気を遮断する電磁弁１４２と、空気の流量を調整する改質用空気流量調整ユニット１４４及び発電用空気流量調整ユニット１４５（モータで駆動される「空気ブロア」等）と、改質器１２０に供給される改質用空気を加熱する第１ヒータ１４６と、発電室に供給される発電用空気を加熱する第２ヒータ１４８とを備えている。これらの第１ヒータ１４６と第２ヒータ１４８は、起動時の昇温を効率よく行うために設けられているが、省略しても良い。
【００５７】
次に、燃料電池モジュール１０２には、排ガスが供給される温水製造装置１５０が接続されている。この温水製造装置１５０には、水供給源１２４から水道水が供給され、この水道水が排ガスの熱により温水となり、図示しない外部の給湯器の貯湯タンクへ供給されるようになっている。また、燃料電池モジュール１０２には、燃料ガスの供給量等を制御するための制御ボックス１５２が取り付けられている。さらに、燃料電池モジュール１０２には、燃料電池モジュールにより発電された電力を外部に供給するための電力取出部（電力変換部）であるインバータ１５４が接続されている。
【００５８】
次に、図７乃至図９を参照して、本発明の一実施形態による固体酸化物形燃料電池装置の燃料電池モジュールの構造について具体的に説明する。図７は、本発明の一実施形態による固体酸化物形燃料電池装置の燃料電池モジュールを示す側面断面図であり、図８は、図７のIII-III線に沿った断面図であり、図９は、ハウジング及び断熱材が取り外された状態の燃料電池モジュールを示す斜視図である。
【００５９】
図７及び図８に示すように、燃料電池モジュール１０２は、主に、上述したように、断熱材１０７内で且つモジュールケース１０８の外部に設けられた蒸発器１２５を有すると共に、モジュールケース１０８の内部に設けられた、燃料電池セル集合体１１２及び改質器１２０を有する。
【００６０】
流体処理装置である蒸発器１２５は、モジュールケース１０８の天板１０８ａ上に固定されている（図９参照）。また、熱交換モジュール１２１とモジュールケース１０８との間には、これらの隙間を埋めるように断熱材１０７の一部分１０７ａが配置され、この断熱材１０７の一部分１０７ａも、モジュールケース１０８の天板１０８ａ上に固定されている（図７及び図８参照）。
【００６１】
具体的には、蒸発器１２５は、水平方向における一側端側に、水及び原燃料ガス（改質用空気を含めてもよい）を供給する燃料供給配管１６３と、排ガスを排出するための排ガス排出管１８２とが接続され（図１、９参照）、水平方向における他側端側に、モジュールケース１０８の天板１０８ａ上に形成された排気口１１１に連結された第１排ガス排出路１７１が接続されている（図７参照）。この排気口１１１は、モジュールケース１０８内の燃焼室１１８で燃焼された排ガスをモジュールケース１０８の外へ排出する開口部であり、モジュールケース１０８の天板１０８ａのほぼ中央部に形成されており、蒸発器１２５は、このような排気口１１１の上方の断熱材１０７内に配置されている。
【００６２】
また、蒸発器１２５は、図８に示すように、上下方向に二層構造となっており、モジュールケース１０８側に位置する下層部分には、上記した第１排ガス排出路１７１から供給された排ガスが通過する排気通路部１２５ｃが形成されている。加えて、蒸発器１２５は、排気通路部１２５ｃの上部に位置する上層部分には、燃料供給配管１６３から供給された水を蒸発させて水蒸気を生成する蒸発部１２５ａと、この蒸発部１２５ａよりも排ガスの流れ方向における上流側に設けられ、蒸発部１２５ａで生成された水蒸気と燃料供給配管１６３から供給された原燃料ガスとを混合させる混合部１２５ｂと、が形成されている。例えば、蒸発器１２５の蒸発部１２５ａ及び混合部１２５ｂは、複数の連通孔が設けられた仕切り板により蒸発器１２５を仕切った空間にて形成される。
【００６３】
このような蒸発器１２５では、蒸発部１２５ａ内の水と排気通路部１２５ｃを通過する排ガスとの間で熱交換が行われ、排ガスの熱により蒸発部１２５ａ内の水が蒸発して、水蒸気が生成されることとなる。加えて、混合部１２５ｂ内の混合ガスと排気通路部１２５ｃを通過する排ガスとの間で熱交換が行われ、排ガスの熱により混合ガスが昇温されることとなる。
【００６４】
更に、図７に示すように、蒸発器１２５の混合部１２５ｂには、第１排ガス排出路１７１が接続された蒸発器１２５における端部に、この第１排ガス排出路１７１の内部を通過するように形成された、混合部１２５ｂからモジュールケース１０８内の改質器１２０に混合ガスを供給するための混合ガス供給管１６２が接続されている。混合ガス供給管１６２は、一端が改質器１２０に設けられた混合ガス供給口１２０ａに連結しており、この混合ガス供給口１２０ａからほぼ水平方向に延びた先で９０°屈曲されて、モジュールケース１０８内、断熱材１０７ａ内、蒸発器１２５における上流側の排気通路部１２５ｃ内を順に横断するようにほぼ鉛直方向に延びて、他端が蒸発器１２５の混合部１２５ｂに接続されている。この場合、混合ガス供給管１６２は、蒸発器１２５の混合部１２５ｂに接続された端部１６２ｂが、蒸発器１２５の蒸発部１２５ａ及び混合部１２５ｂの底面よりも上方に突出するように設けられている。
【００６５】
ここで図９に示すように、蒸発器１２５の天面に直交して接続された燃料供給管１６３は、屈曲部を経て水平方向に延在する非屈曲部分に充填材通過禁止部１８０を有している。充填材通過禁止部１８０により、蒸発器１２５内部への経路の圧力損失を高めることなしに、蒸発器１２５の内部に充填された充填材の漏出を防止することができる。
【００６６】
次に、モジュールケース１０８の外側、具体的にはモジュールケース１０８の外壁と断熱材１０７との間には、酸化剤ガス供給通路としての発電用空気導入路（酸化剤ガス導入路）１７７が形成されている（図１、８参照）。この発電用空気導入路１７７は、モジュールケース１０８の天板１０８ａ及び側板１０８ｂと、これら天板１０８ａ及び側板１０８ｂのそれぞれに沿って延びるように配置された発電用空気供給ケース１７７ａとの間の空間によって形成され、モジュールケース１０８の天板１０８ａ上の正面視中央位置に設けられた発電用空気導入管１７４から発電用空気が供給される（図１、９参照）。そして、発電用空気導入路１７７は、モジュールケース１０８の側板１０８ｂの下部に設けられた複数の吹出口１７７ｂから、発電用空気を燃料電池セル集合体１１２に向けて発電室１１０内に噴射する（図１、８参照）。
【００６７】
また、発電用空気導入路１７７の内部には、熱交換促進部材としての板状の伝熱板１７７ｃ、１７７ｄが設けられている（図１、８参照）。伝熱板１７７ｃは、モジュールケース１０８の天板１０８ａに沿った発電用空気導入路１７７の部分に設けられ、伝熱板１７７ｄは、モジュールケース１０８の側板１０８ｂに沿った発電用空気導入路１７７の部分で、且つ、燃料電池セルユニット１１６に至る位置に設けられている。発電用空気導入路１７７を流れる発電用空気は、特に伝熱板１７７ｃ、１７７ｄを通過する際に、これら伝熱板１７７ｃ、１７７ｄの内側のモジュールケース１０８内（具体的にはモジュールケース１０８内に設けられた第２及び第３排ガス排出路１７２、１７３）を通過する排ガスとの間で熱交換を行い、加熱されることとなる。このようなことから、発電用空気導入路１７７において伝熱板１７７ｃ、１７７ｄが設けられた部分は、熱交換部（空気熱交換部）として機能する。
【００６８】
第２排ガス排出路１７２および発電用空気導入路１７７の内部に設けられた伝熱板１７２ａ、１７７ｃ、１７７ｄは第２排ガス排出路１７２または発電用空気導入路１７７の流路を２つに区分するように設けられており、伝熱板１７２ａ、１７７ｃ、１７７ｄに設けられた複数の通気孔（図示せず）によって、内部を通過する流体は２区間を行き来して広域に拡散する。そのため、区分された空間それぞれにおいて内部を通過する流体を均熱化することができるため、局所的に熱交換率が異なることなく、熱交換性能が向上する。
【００６９】
第２排ガス排出路１７２および発電用空気導入路１７７に設けられた伝熱板１７２ａ、１７７ｃ、１７７ｄは、複数の凸部（図示せず）を介して発電用空気導入路１７７および第２排ガス排出路１７２の他方を構成する壁面に固定されている。そのため、伝熱板（１７２ａ、１７７ｃ、１７７ｄ）により、区分された二つの空間のうち、他の流路と接する面を有する側が直接他の流路と熱交換を行う空間であるため、当該空間に優先的に流体を導くことができ、流体が持つ熱量を有効に利用することが可能となり、積極的に熱交換を行うことができる。
【００７０】
さらに、発電用空気導入路１７７および第２排ガス排出路１７２に設けられた伝熱板（１７２ａ、１７７ｃ、１７７ｄ）は燃料電池セル集合体１１２の上端よりも上方に配置されている。したがって、燃焼部１１０の熱と発電用空気導入路１７７を流れる発電用空気とで熱交換を行うことができ、高効率な熱交換が可能になる。このため伝熱板は、モジュールケース１０８上面から燃焼室１１８付近にわたる領域に配置すれば十分であり、燃料電池セル集合体１１２が設けられた位置にまで伝熱板１７７ｄを設けることを不要とすることができる。これにより、伝熱板１７７ｄの配置面積を削減することができ、さらに発電時においても燃料電池セル集合体１１２の温度を奪わないようにすることができる。
【００７１】
次に、図７及び図８に加えて、図１０も参照して、モジュールケース１０８内に設けられた流体処理装置である改質器１２０について説明する。図１０（Ａ）は、本発明の一実施形態による改質器１２０を斜め上方から見た斜視図であり、図１０（Ｂ）は、図１０（Ａ）のＶＢ−ＶＢ線に沿った断面図であり、図１０（Ｃ）は、図１０（Ａ）のＶＣ−ＶＣ線に沿った断面図である。なお、図１０（Ａ）〜（Ｃ）中には、改質器１２０に加えて、混合ガス供給管１６２や燃料ガス供給管１６４なども図示している。
【００７２】
改質器１２０は、燃焼室１１８の上方に水平方向に延びるように配置され、モジュールケース１０８の天板１０８ａと所定距離隔てて、この天板１０８ａに対して固定されている（図７参照）。改質器１２０には、上記した混合ガス供給管１６２からの混合ガスが混合ガス供給口１２０ａより流入し、混合ガス（つまり水蒸気が混合された原燃料ガス（改質用空気を含めてもよい））を改質するための改質触媒（不図示）が充填された改質部１２０ｃと、が形成されている（図１０（Ｂ）参照）。改質触媒としては、アルミナの球体表面にニッケルを付与したものや、アルミナの球体表面にルテニウムを付与したものが適宜用いられる。
【００７３】
ここで改質器１２０に接続する混合ガス供給管１６２には、図１０（Ｂ）に示すように改質器１２０に挿入される手前に充填材通過禁止部材１６２ｂが設けられている（図７、１３においては省略）。これにより、圧力損失の増加を抑制しつつ、改質触媒の流出を防止することができる。
【００７４】
また、改質器１２０には、改質部１２０ｃが形成された部分に、上方に凹んだ内部空間１２０ｄが形成されている（図１０（Ｂ）参照）。内部空間１２０ｄは、上下方向に貫通するように延びる貫通孔の上部をプレートなどで塞ぐことにより形成される。この内部空間１２０ｄには、上述した混合ガス供給管１６２の一部分１６２ａ、具体的には、混合ガス供給管１６２において水平方向に延びる部分であって、その端部が改質器１２０の混合ガス供給口１２０ａに接続された部分１６２ａが配置されている。この混合ガス供給管１６２の部分１６２ａも、その内部を通過する混合ガスを、改質器１２０の内部空間１２０ｄ内の排ガスによって予熱する予熱部として機能する（以下では混合ガス供給管１６２の部分１６２ａを「予熱部１６２ａ」と呼ぶ）。
【００７５】
また、改質器１２０は、上記した改質部１２０ｃの上面を形成する天板１２０ｆと、この天板１２０ｆの上方に設けられ、上部が開放したほぼＵ字断面形状を有する遮蔽板１２０ｇと、この遮蔽板１２０ｇの上部に配置された平板１２０ｈとを更に有する（図１０（Ａ）乃至（Ｃ）参照）。改質器１２０において天板１２０ｆと遮蔽板１２０ｇとの間の空間は、改質部１２０ｃの上方に排ガスを誘導して流すための排気誘導室２０１を形成し、改質器１２０において遮蔽板１２０ｇと平板１２０ｈとの間の空間は、排ガスがほとんど流れない、断熱層としてのガス溜２０３を形成する（図１０（Ａ）乃至（Ｃ）に加えて、図７及び図８も参照）。更に、改質器１２０の上端部には、改質器１２０をモジュールケース１０８の天板１０８ａに固定するためのフランジ部１２０ｉが設けられている。
【００７６】
次に、図７に示すように、改質器１２０の下流端側には、改質器１２０の改質部１２０ｃによる改質によって生成された燃料ガスを供給する燃料ガス供給通路としての燃料ガス供給管１６４が接続され、この燃料ガス供給管１６４の上部には、水添脱硫器用水素取出管１６５が接続されている。燃料ガス供給管１６４は、下方に延び、さらに、燃料電池セル集合体１１２の下方に形成されたマニホールド１６６内で水平に延びている。燃料ガス供給管１６４の水平部１６４ａの下方面には、複数の燃料供給孔１６４ｂが形成されており、この燃料供給孔１６４ｂから、改質された燃料ガスがマニホールド１６６内に供給される。このマニホールド１６６の上方には、上述した燃料電池セルスタック１１４を支持するための貫通孔を備えた下支持板１６８が取り付けられており、マニホールド１６６内の燃料ガスが、燃料電池セルユニット１１６内に供給される。また、燃料ガスと空気との燃焼を開始するための点火装置１８３が、燃焼室１１８に設けられている。
【００７７】
次に、図８に示すように、モジュールケース１０８内において、改質器１２０の上面（詳しくは改質器１２０の平板１２０ｈ）とモジュールケース１０８の天板１０８ａの下面との間には、水平方向に延びる第２排ガス排出路１７２が形成されている。この第２排ガス排出路１７２は、モジュールケース１０８の天板１０８ａを挟んで、上記した発電用空気導入路１７７の一部分と並設されている。また、第２排ガス排出路１７２の内部には、熱交換促進部材としての板状の伝熱板１７２ａが設けられている。この伝熱板１７２ａは、発電用空気導入路１７７内に設けられた伝熱板１７７ｃと水平方向におけるほぼ同一箇所に設けられている。このような伝熱板１７７ｃ、１７２ａが設けられた発電用空気導入路１７７及び第２排ガス排出路１７２の部分において、発電用空気導入路１７７を流れる発電用空気と第２排ガス排出路１７２を流れる排ガスとの間で効率的な熱交換が行われ、排ガスの熱により発電用空気が昇温されることとなる。すなわち、第２の実施形態において、発電用空気導入路１７７または第２排ガス排出路１７２の内部に設けられた伝熱板１７２ａが、発電用空気通路１７７と直接接触しており、伝熱板１７２aに与えられた排ガスの熱が伝熱板１７２ａに与えられ、伝熱板１７２ａの熱は発電用空気導入路１７７を構成する壁面に熱伝達し、発電用空気と効率よく熱交換を行うことができる。さらに、発電用空気通路１７７の内部にも伝熱板１７７ｃの凸部が第２排ガス排出路１７２を構成する壁面に接しているため、排ガスの熱が、伝熱板１７２ａ、発電用空気通路１７７を構成する壁面、伝熱板１７７ｃ、発電用空気の順に伝わるため、排ガスと発電用空気の熱交換率を向上させることができる。なお、伝熱板１７２ａは伝熱板１７７ｃ、１７７ｂと同一のものである。
【００７８】
また、改質器１２０の外側面とモジュールケース１０８の内側面との間には、上下方向に延びる第３排ガス排出路１７３が形成されている。この第３排ガス排出路１７３は第２排ガス排出路１７２と連通しており、第３排ガス排出路１７３から第２排ガス排出路１７２へと排ガスが流れていく。具体的には、第２排ガス排出路１７２には、第３排ガス排出路１７３の上端部（言い換えると第２排ガス排出路１７２の水平方向における端部）に位置する排ガス導入口１７２ｂから排ガスが流入する。排ガス導入口１７２ｂから第２排ガス排出路１７２に流入した排ガスは、モジュールケース１０８の天板１０８ａ上に形成された排気口１１１を介して、モジュールケース１０８の外部に設けられた第１排ガス排出路１７１へと流出する。
【００７９】
また、第３排ガス排出路１７３の途中のモジュールケース１０８の内側面上には、具体的には、改質器１２０の改質部１２０ｃよりも上方で、第２排ガス排出路１７２の排ガス導入口１７２ｂよりも下方のモジュールケース８の内側面上には、改質器１２０中に形成された排気誘導室２０１（改質器１２０の天板１２０ｆと遮蔽板１２０ｇとの間の空間）に流れ込むように排ガスを指向させる排気ガイド板２０５（第１排気ガイド部に相当する）が設けられている。
【００８０】
次に、図１１を参照して、燃料電池セルユニット１１６について説明する。図１１は、本発明の一実施形態による固体酸化物形燃料電池の燃料電池セルユニットを示す部分断面図である。
【００８１】
図１１に示すように、燃料電池セルユニット１１６は、燃料電池セル１８４と、この燃料電池セル１８４の両端部にそれぞれ接続されたキャップである内側電極端子１８６とを備えている。
【００８２】
燃料電池セル１８４は、上下方向に延びる管状構造体であり、内部に燃料ガス流路１８８を形成する円筒形の内側電極層１９０と、円筒形の外側電極層１９２と、内側電極層１９０と外側電極層１９２との間にある電解質層１９４とを備えている。この内側電極層１９０は、燃料ガスが通過する燃料極であり、（−）極となり、一方、外側電極層９２は、空気と接触する空気極であり、（＋）極となっている。
【００８３】
燃料電池セル１８４の上端側と下端側に取り付けられた内側電極端子１８６は、同一構造であるため、ここでは、上端側に取り付けられた内側電極端子１８６について具体的に説明する。内側電極層１９０の上部１９０ａは、電解質層１９４と外側電極層１９２に対して露出された外周面１９０ｂと上端面１９０ｃとを備えている。内側電極端子１８６は、導電性のシール材１９６を介して内側電極層１９０の外周面１９０ｂと接続され、さらに、内側電極層１９０の上端面１９０ｃとは直接接触することにより、内側電極層１９０と電気的に接続されている。内側電極端子１８６の中心部には、内側電極層１９０の燃料ガス流路１８８と連通する燃料ガス流路細管１９８が形成されている。
【００８４】
この燃料ガス流路細管１９８は、内側電極端子１８６の中心から燃料電池セル１８４の軸線方向に延びるように設けられた細長い細管である。このため、マニホールド１６６（図７参照）から、下側の内側電極端子１８６の燃料ガス流路細管１９８を通って燃料ガス流路１８８に流入する燃料ガスの流れには、所定の圧力損失が発生する。従って、下側の内側電極端子１８６の燃料ガス流路細管１９８は、流入側流路抵抗部として作用し、その流路抵抗は所定の値となるように設定されている。また、燃料ガス流路１８８から、上側の内側電極端子１８６の燃料ガス流路細管１９８を通って燃焼室１１８（図７参照）に流出する燃料ガスの流れにも所定の圧力損失が発生する。従って、上側の内側電極端子１８６の燃料ガス流路細管１９８は、流出側流路抵抗部として作用し、その流路抵抗は所定の値となるように設定されている。
【００８５】
内側電極層１９０は、例えば、Ｎｉと、ＣａやＹ、Ｓｃ等の希土類元素から選ばれる少なくとも一種をドープしたジルコニアとの混合体、Ｎｉと、希土類元素から選ばれる少なくとも一種をドープしたセリアとの混合体、Ｎｉと、Ｓｒ、Ｍｇ、Ｃｏ、Ｆｅ、Ｃｕから選ばれる少なくとも一種をドープしたランタンガレードとの混合体、の少なくとも一種から形成される。
【００８６】
電解質層１９４は、例えば、Ｙ、Ｓｃ等の希土類元素から選ばれる少なくとも一種をドープしたジルコニア、希土類元素から選ばれる少なくとも一種をドープしたセリア、Ｓｒ、Ｍｇから選ばれる少なくとも一種をドープしたランタンガレート、の少なくとも一種から形成される。
【００８７】
外側電極層１９２は、例えば、Ｓｒ、Ｃａから選ばれた少なくとも一種をドープしたランタンマンガナイト、Ｓｒ、Ｃｏ、Ｎｉ、Ｃｕから選ばれた少なくとも一種をドープしたランタンフェライト、Ｓｒ、Ｆｅ、Ｎｉ、Ｃｕから選ばれた少なくとも一種をドープしたランタンコバルタイト、銀、などの少なくとも一種から形成される。
【００８８】
次に、図１２を参照して、燃料電池セルスタック１１４について説明する。図１２は、本発明の一実施形態による固体酸化物形燃料電池の燃料電池セルスタックを示す斜視図である。
【００８９】
図１２に示すように、燃料電池セルスタック１１４は、１６本の燃料電池セルユニット１１６を備え、これらの燃料電池セルユニット１１６は、８本ずつ２列に並べて配置されている。
【００９０】
各燃料電池セルユニット１１６は、下端側がセラミック製の長方形の下支持板１６８（図７参照）により支持され、上端側は、両端部の燃料電池セルユニット１１６が４本ずつ、概ね正方形の２枚の上支持板１００により支持されている。これらの下支持板１６８及び上支持板１００には、内側電極端子１８６が貫通可能な貫通穴がそれぞれ形成されている。
【００９１】
さらに、燃料電池セルユニット１１６には、集電体１０３及び外部端子１０５が取り付けられている。この集電体１０３は、燃料極である内側電極層１９０に取り付けられた内側電極端子１８６と電気的に接続される燃料極用接続部１０３ａと、空気極である外側電極層１９２の外周面と電気的に接続される空気極用接続部１０３ｂとを接続するように一体的に形成されている。また、各燃料電池セルユニット１１６の外側電極層１９２（空気極）の外表面全体には、空気極側の電極として、銀製の薄膜が形成されている。この薄膜の表面に空気極用接続部１０３ｂが接触することにより、集電体１０３は空気極全体と電気的に接続される。
【００９２】
さらに、燃料電池セルスタック１１４の端（図１２では左端の奥側）に位置する燃料電池セルユニット１１６の空気極１８６には、２つの外部端子１０４がそれぞれ接続されている。これらの外部端子１０３は、隣接する燃料電池セルスタック１１４の端にある燃料電池セルユニット１１６の内側電極端子１８６に接続され、上述したように、１６０本の燃料電池セルユニット１１６の全てが直列接続されるようになっている。
【００９３】
次に、図１３、図１４を参照して、本発明の一実施形態による固体酸化物形燃料電池装置の燃料電池モジュール内のガスの流れについて説明する。図１３は、図７と同様の、本発明の一実施形態による固体酸化物形燃料電池装置の燃料電池モジュールを示す側面断面図である。図１４は、図８と同様の本発明の一実施形態による固体酸化物形燃料電池装置を示す図１３のIII −III 線に沿った燃料電池モジュールの断面図である。図１３、図１４は、図７、８中にガスの流れを示す矢印を新たに付加した図であり、説明の便宜上、断熱材１０７を取り除いた状態の図を示している。なお、図１４では、燃料ガス（水、水蒸気及び原燃料ガスも含む）の流れのみを図示している。
【００９４】
図１３、に示すように、水及び原燃料ガス（燃料ガス）が、蒸発器１２５の水平方向における一側端側に接続された燃料供給配管１６３（図９参照）から蒸発器１２５内に供給される、具体的には蒸発器１２５の上層に設けられた蒸発部１２５ａ内に供給される。蒸発器１２５の蒸発部１２５ａに供給された水は、蒸発器１２５の下層に設けられた排気通路部１２５ｃを流れる排ガスとの間で熱交換を行い、排ガスの熱により加熱されて、気化して水蒸気となる。この水蒸気と、上記した燃料供給配管１６３から供給された原燃料ガスとは、蒸発部１２５ａ内を水平方向に流れていき（具体的には燃料供給配管１６３が接続された側と反対側に向けて水平方向に流れていき）、蒸発部１２５ａの先の混合部１２５ｂにおいて混合される。
【００９５】
そして、混合部１２５ｂにおいて水蒸気と原燃料ガスとが混合された混合ガス（燃料ガス）は、蒸発器１２５において燃料供給配管１６３が接続された側と反対側に接続され、蒸発器１２５の排気通路部１２５ｃ、断熱材１０７ａ及びモジュールケース１０８内を横断するように延びる混合ガス供給管１６２を流れて、モジュールケース１０８内の改質器１２０に流入する。この場合、混合ガスは、混合部１２５ｂの下方の排気通路部１２５ｃを流れる排ガスと、排気通路部１２５ｃ及び第１排ガス排出路１７１内に位置する混合ガス供給管１６２の部分の周囲を流れる排ガスと、モジュールケース１０８内に位置する混合ガス供給管１６２の部分の周囲を流れる排ガスとの間で熱交換を行い、加熱されることとなる。特に、モジュールケース１０８内では、改質器１２０の内部空間１２０ｄ内に位置する混合ガス供給管１６２の予熱部１６２ａにおいて、この予熱部１６２ａ内を流れる混合ガスと改質器１２０の内部空間１２０ｄ内の排ガスとの間で効率的な熱交換が行われる。
【００９６】
この後、混合ガス供給管１６２から改質器１２０に供給された混合ガスは、改質器１２０の混合ガス供給口１２０ａを介して、改質器１２０の水平方向における一側端側に設けられた改質触媒が充填された改質部１２０ｃに流入し、この改質部１２０ｃにおいて改質されて燃料ガスとなる。こうして生成された燃料ガスは、改質器１２０の改質部１２０ｃの下流端側に接続された燃料ガス供給管１６４と、この燃料ガス供給管１６４の上方に接続された水添脱硫器用水素取出管１６５とを流れる。そして、燃料ガスは、燃料ガス供給管１６４の水平部１６４ａに設けられた燃料供給孔１６４ｂからマニホールド１６６内に供給されて、マニホールド１６６内の燃料ガスが各燃料電池セルユニット１１６内に供給される。
【００９７】
他方で、図１４に示すように、発電用空気導入管１７４（図１、図７、図９及び図１３参照）から供給された発電用空気は、モジュールケース１０８の天板１０８ａ及び側板１０８ｂと、これら天板１０８ａ及び側板１０８ｂのそれぞれに沿って延びるように配置された発電用空気供給ケース１７７ａとの間の空間によって形成された発電用空気導入路１７７を流れる。この際に、発電用空気導入路１７７を流れる発電用空気は、伝熱板１７７ｃ、１７７ｄを通過する際に、これら伝熱板１７７ｃ、１７７ｄの内側のモジュールケース１０８内に形成された第２及び第３排ガス排出路１７２、１７３を通過する排ガスとの間で効率的な熱交換を行い、加熱されることとなる。特に、発電用空気導入路１７７の伝熱板１７７ｃに対応する第２排ガス排出路１７２内には伝熱板１７２ａが設けられているので、発電用空気は、発電用空気導入路１７７内の伝熱板１７７ｃと第２排ガス排出路１７２内の伝熱板１７２ａとを介して、排ガスとより効率的な熱交換を行う。
【００９８】
また、図１、８、１４に示すように、発電用空気導入路１７７の内部で、伝熱板１７７ｄが配置された領域よりも下方に複数の孔を有する仕切り板１７９が設置されており、排ガスと熱交換を行った後の発電用空気は仕切り板１７９に設けられた複数の孔を通る。その際に、仕切り板１７９は流路抵抗として機能し、拡散されて均熱化した発電用空気を燃料電池セル集合体１１２へ供給することができる。
【００９９】
その後、図１４に示すように、発電用空気は、モジュールケース１０８の側板１０８ｂの下部に設けられた複数の吹出口１７７ｂから燃料電池セル集合体１１２に向けて発電室１１０内に噴射される。
【０１００】
他方で、燃料電池セルユニット１１６において発電に利用されずに残った排ガスは、図１４に示すように、モジュールケース１０８内の燃焼室１１８で燃焼され、モジュールケース１０８内を上昇していく。具体的には、排ガスは、まず、改質器１２０の外側面とモジュールケース１０８の内側面との間に形成された第３排ガス排出路１７３を通過する。この際に、排ガスは、モジュールケース１０８の内側面上に設けられた排気ガイド板２０５によって、改質器１２０中に形成された排気誘導室２０１（改質器１２０の天板１２０ｆと遮蔽板１２０ｇとの間の空間）に流れ込むように指向される。そして、排気誘導室２０１を経由した排ガス（排気誘導室２０１に流れ込んだ排ガス及び排気誘導室２０１に流れ込まなかった排ガスを含む）は、排気誘導室２０１の上方のガス溜２０３（改質器１２０の遮蔽板１２０ｇと平板１２０ｈとの間の空間）に流れ込むことなく上昇していき、排ガス導入口１７２ｂから第２排ガス排出路１７２に流入する。
【０１０１】
この後、排ガスは、第２排ガス排出路１７２を水平方向に流れていき、モジュールケース１０８の天板１０８ａ上に形成された排気口１１１から流出する。排ガスが第２排ガス排出路１７２を水平方向に流れていく際に、第２排ガス排出路１７２内に設けられた伝熱板１７２ａと、この伝熱板１７２ａに対応して発電用空気導入路１７７内に設けられた伝熱板１７７ｃとを介して、発電用空気導入路１７７を流れる発電用空気と第２排ガス排出路１７２を流れる排ガスとの間で効率的な熱交換が行われて、排ガスの熱により発電用空気が昇温される。なお、ここでは排気通路のうち第２排ガス排出路１７２にのみ伝熱板１７２aを設けているが、伝熱板を設ける箇所は第２排ガス排出路１７２に限るものではなく、熱交換を行う排気通路であればよい。
【０１０２】
そして、排気口１１１から流出した排ガスは、モジュールケース１０８の外部に設けられた第１排ガス排出路１７１を通過した後、第１排ガス排出路１７１に接続された蒸発器１２５の排気通路部１２５ｃを流れて、蒸発器１２５の下流端側に接続された排ガス排出管１８２（図９参照）から排出される。排ガスは、蒸発器１２５の排気通路部１２５ｃを流れる際に、上述したように、蒸発器１２５の混合部１２５ｂ内の混合ガス及び蒸発器１２５の蒸発部１２５ａ内の水と熱交換を行う。
【０１０３】
次に、本発明の第２の実施の形態による固体酸化物形燃料電池装置の作用・効果について説明する。
【０１０４】
第２の実施の形態によれば、モジュールケース１０８を挟んで発電用空気導入路１７７と第２排ガス排出路１７２とを並設し、熱交換部を形成した燃料電池装置において、発電用空気導入路１７７または第２排ガス排出路１７２の少なくとも一方に、熱拡散性の高い伝熱板（１７２ａ、１７７ｃ、１７７ｄ）を流路内部が２つに区分されるように配置することで、２つの空間それぞれにおいて流路内部を通過する流体を均熱化することができ熱交換性能が向上する。このため、別体としての専用の熱交換器が不要となるため、燃料電池装置の小型化及び低コスト化を実現することができる。ここで、発電用空気導入路１７７と第２排ガス排出路の少なくとも一方に伝熱板を設けていれば良く、発電用空気導入路１７７と並設されていれば、第２排ガス排出路の場所は本実施形態に限るものではない。
【０１０５】
また、本発明の第２の実施の形態によれば、伝熱板（１７２ａ，１７７ｃ，１７７ｄ）に両面間を流動可能とする複数の通気孔（図示せず）が設けられていることで、流体が２区間を行き来して広域に拡散するため、熱交換性能を向上させることができる。
【０１０６】
また、本発明の第２の実施の形態によれば、発電用空気導入路１７７または第２排ガス排出路１７２の一方の流路に設けられた伝熱板１７２ａまたは伝熱板１７７ｃ、１７７ｄが、他方の流路と直接接触することで、熱交換性能を向上させることができる。
【０１０７】
また、本発明の第２の実施の形態によれば、区分した二つの空間のうち、他の流路と接する面を有する側が直接他の流路と熱交換を行う空間であるため、当該空間に優先的に流路を導くことで、流体が持つ熱量を有効に利用することができる。
【０１０８】
また、本発明の第２の実施の形態によれば、本発明に係る伝熱板１７２ａ、１７７ｃ、１７７ｄは熱交換性能が非常に高いため、発電室１１０内において、高温の燃焼部１１８で熱交換を行うことで熱の利用を最大限化するとともに、比較的低温となる燃料電池セル集合体１１２の領域に近接する流路では伝熱板の配置を不要とすることで、伝熱板の配置面積を最小化してコストを削減することができる。
【０１０９】
また、本発明の第２の実施の形態によれば、発電用空気導入路１７７の内部であって、伝熱板１７７ｃ、１７７ｄが配置された領域よりも下方に複数の孔を有する仕切り板１７９を設置することで、仕切り板１７９は流路抵抗として機能するため、均熱化した酸素含有ガスはさらに拡散して均熱化し、複数の孔から発電用空気供給通路の下端に噴出される。
【０１１０】
第２の実施の形態で上述したように、容器壁面に熱交換部を形成した燃料電池装置において、簡単な構成により、熱交換性能を向上させることができるため、別体として専用の熱交換器を設ける必要がなく、燃料電池装置の小型化及び低コスト化を実現することができる。
【０１１１】
（実施の形態３）
つぎに図１５を参照して、本発明の第３の実施形態について説明する。図１５は本発明の実施形態の適用例を示す燃料電池モジュールの別の形態を示す概略断面図である。
【０１１２】
第３の実施形態において、発電用空気を燃料電池モジュール３０２の内部へ供給するための構造を、図１５を参照しながら説明する。図１５の実践矢印は、発電用空気の流れを示しており、点線矢印は排ガスの流れを示している。この図に示すように、改質器３２０の上方に熱交換器３２３が設けられ、ケーシング３５６は断熱材３０７で覆われている。
【０１１３】
熱交換器３２３は２層の熱交換器であり、上層の一端側には発電用空気導入管３７４が取り付けられている。この発電用空気導入管３７４により、発電用空気が熱交換器３２３内に導入されるようになっており、熱交換器３２３の上層の他端側には、図１５に示すように、発電用空気流路３２３ａの出口ポート３７７ａが一対形成されている。この出口ポート３７７ａは、一対の連絡流路（図示せず）に連通している。さらに、燃料電池モジュール２のケーシング３５６の幅方向の両側の外側には、発電用空気供給路（図示せず）が形成されている。
【０１１４】
したがって、発電用空気供給路（図示せず）には、発電用空気流路３２３ａの出口ポート３７７ａ及び連絡流路（図示せず）から、発電用空気が供給されるようになっている。この発電用空気供給路（図示せず）は、燃料電池セル集合体３１２の長手方向に沿って形成されており、さらに、その下方側であり且つ燃料電池セル集合体３１２の下方側に対応する位置に、燃料電池セル集合体３１２の各燃料電池セルユニット３１６に向けて発電用空気を吹き出すための複数の吹出口３７７ｂが形成されている。出口ポート３７７ａから発電用空気供給路（図示せず）に流入した発電用空気は吹出口３７７ｂへと向かい、これらの吹出口３７７ｂから吹き出された発電用空気は、各燃料電池セルユニット３１６の外側に沿って、下方から上方へ流れるようになっている。
【０１１５】
さらに、改質器導入管３６２は、ケーシング３５６の内部に、純水と改質される燃料ガスを導入する管路である。改質器導入管３６２は、改質器３２０の一端の側壁面から延びる円管であり、９０゜屈曲されて概ね鉛直方向に延び、ケーシング５６の上端面を貫通している。なお、改質器導入管３６２は、改質器３２０に水を導入する水導入管としても機能している。より具体的には、図１５に示すように、改質器３２０の上流端である図中右側の端部に繋がれている。
【０１１６】
ここで、改質器３２０に接続する改質器導入管３６２には、上記の９０°屈曲し水平方向に延びた部分に、充填材通過禁止部材３８３が設けられている。これにより、圧力損失の増加を抑制するとともに、改質器３２０内の改質触媒等の充填材が流出することを防止できる。
【０１１７】
改質器導入管３６２から流入する水は改質器３２０で水蒸気とされ、この水蒸気と被改質ガスである燃料ガス（都市ガス）と空気とが混合される。さらに、改質器３２０は、燃料電池セル集合体３１２の上方に形成された燃焼室３１８の更に上方に配置されている。したがって、改質器３２０は、発電反応後の残余の燃料ガス及び空気による燃焼熱によって熱せられ、蒸発混合器としての役割と、燃料と水蒸気を化学反応させることにより水蒸気改質反応の双方によって水素を生成可能な改質器としての役割とを果たすように構成されている。
【０１１８】
改質器３２０の下流端には、燃料供給管３６６の上端が接続されている。この燃料供給管３６６の下端側は、燃料ガスタンク３６８内に入り込むように配置されている。
【０１１９】
図１５に示すように、燃料ガスタンク３６８は、燃料電池セル集合体３１２の真下に設けられている。燃料供給管３６６から燃料ガスタンク３６８に供給された燃料ガスは、燃料電池セル集合体３１２を構成する各燃料電池セルユニット３１６内を上昇して、燃焼室１８に至るようになっている。
【０１２０】
続いて、発電により生じた排ガスをモジュールケース３５６外へ排出するための構造を説明する。燃料電池セルユニット３１６の上方にある燃焼室３１８では、発電反応に使用されなかった燃料ガスと発電用空気の排ガスを燃焼させている。その後、排ガスは、燃焼室３１８内を上昇し排気ガイド板３８０に至る。排気ガイド板３８０には、図１５に示すように、開口３８０ａが設けられており、開口３８０ａ内に排ガスが導かれる。この開口３８０ａを通った排ガスは、別体として設けられた熱交換器３２３の排ガス排出流路流入口３２４に至る。
【０１２１】
二層の熱交換器３２３の下層には、排ガスを排出するための排ガス排出流路３２３ｂが設けられている。これらの排ガスガス排出流路３２３ｂの下流端側には、排ガス排出管３８２が接続され、排ガスが外部に排出されるようになっている。
【０１２２】
つぎに熱交換器３２３について図１５を参照しながら説明する。熱交換器３２３は上層に発電用空気供給流路３２３ａと、下層に排ガス排出流路３２３ｂを備えている。発電用空気供給流路３２３ａには発電用空気が流れ、排ガス流出流路３２３ｂには排ガスが流れており、発電用空気は排ガスからの熱を受け取り昇温される。
【０１２３】
発電用空気供給流路３２３ａと排ガス排出流路３２３ｂの内部にはそれぞれ伝熱板３７８が流路を区分するように配置されており、発電用空気と排ガスとの熱交換を促進している。すなわち、伝熱板３７８が流路抵抗として働くため、カウンターフローで流れる発電用空気と排ガスはそれぞれの流路において均熱化され、さらに、伝熱板３７８が発電用空気と排ガスとが熱交換を行う熱交換器３２３内の壁面と接しているため、積極的に熱交換を行わせることができる。
なお、図１５においては、排ガス流路３２３ａと発電用空気流路３２３ｂの内部の双方に伝熱板３７８を設けているが、排ガス流路３２３ａと発電用空気流路３２３ｂのどちらか一方に設けるようにしてもよい。さらに、図１５では発電用空気と排ガスとの流れの方向をカウンターフローとして示しているが、クロスフローやパラレルフローでも良い。
【０１２４】
したがって、熱交換部が専用の熱交換器３２３として別体に設けられている燃料電池装置においても、熱交換器３２３の内部に設けられた、発電用空気供給流路３２３ａまたは排ガス排出流路３２３ｂの内部に本発明にかかる伝熱板３７８を設けることにより、容易に熱交換性能を向上させることができる。したがって、モジュールケース一体の熱交換器でなくとも、発明の効果を奏することが可能である。
【符号の説明】
【０１２５】
１０  流体処理装置
１１  ケース
１２  充填材
１３  流体配管
１３ａ  水平延在部
１３ｂ  垂直延在部
１３ｃ  屈曲部
１４  充填材通過禁止部
１５  加熱源
１０１  固体酸化物形燃料電池装置（ＳＯＦＣ）
１０２  燃料電池モジュール
１０７  断熱材
１０８  モジュールケース
１０８ａ  天板
１０８ｂ  側板
１１２  燃料電池セル集合体
１１６  燃料電池セルユニット
１１８  燃焼室（燃焼部）
１１１  排気口
１２０  改質器
１２０ａ  混合ガス供給口
１２０ｃ  改質部
１２０ｄ  内部空間
１２５  蒸発器
１２５ａ  蒸発部
１２５ｂ  混合部
１２５ｃ  排気通路部
１６２  混合ガス供給管
１６２ａ  予熱部
１６２ｂ  充填材通過禁止部
１６３  燃料供給配管
１６４  燃料ガス供給管
１６５  水添脱硫器用水素取出管
１７１  第１排ガス排出路
１７２  第２排ガス排出路
１７２ａ  伝熱板
１７３  第３排ガス排出路
１７７  発電用空気導入路（酸素含有ガス導入路）
１７７ｃ、１７７ｄ  伝熱板
１７９  仕切り板
１８０  充填材通過禁止部
２０１  排気誘導室
２０３  ガス溜
３０２  燃料電池モジュール
３０７  断熱材
３１０  発電室
３１２  燃料電池セル集合体
３１６  燃料電池セルユニット
３１８  燃焼室（燃焼部）
３２０  改質器
３２３  熱交換器
３２３ａ  発電用空気供給流路
３２３ｂ  排ガス排出流路
３２４  排ガス排出流路流入口
３５６  モジュールケース
３６２  改質器導入管
３６６  燃料供給管
３６８  燃料ガスタンク
３７４  発電用空気導入管
３７７ａ  出口ポート
３７７ｂ  噴出孔
３８０  排気ガイド板
３８０ａ  開口
３８２  排ガス排出管
３８３  充填材通過禁止部
【図１】
2018041608.tif 000003
【図２】
2018041608.tif 000004
【図３】
2018041608.tif 000005
【図４】
2018041608.tif 000006
【図５】
2018041608.tif 000007
【図６】
2018041608.tif 000008
【図７】
2018041608.tif 000009
【図８】
2018041608.tif 000010
【図９】
2018041608.tif 000011
【図１０】
2018041608.tif 000012
【図１１】
2018041608.tif 000013
【図１２】
2018041608.tif 000014
【図１３】
2018041608.tif 000015
【図１４】
2018041608.tif 000016
【図１５】
2018041608.tif 000017